(57)【要約】【課題】本発明は、アンテナの入力インピーダンスと高周波回路部の特性インピーダンスを一致させるための整合回路を必要としない、小型のチップアンテナを供給することを目的とする。【解決手段】本発明は、基体２と、基体２に設けられた一対の端子部３、４と、基体２の一部に設けられたアンテナ部６と、基体２の一部に設けられたインピーダンス整合部７を有し、インピーダンス整合部７が、アンテナ部６と電気的に接続された導体により形成されており、アンテナ部６が、一対の端子部３、４の一方と接続され、インピーダンス整合部７が、一対の端子部３、４の他方と接続された構成とする。【選択図】図１
2006050213.tif 000002
【特許請求の範囲】
【請求項１】
基体と、
前記基体に設けられた一対の端子部と、
前記基体の一部に設けられたアンテナ部と、
前記基体の一部に設けられたインピーダンス整合部を有し、
前記インピーダンス整合部が、前記アンテナ部と電気的に接続された導体により形成されており、
前記アンテナ部が、前記一対の端子部の一方と接続され、
前記インピーダンス整合部が、前記一対の端子部の他方と接続されていることを特徴とするチップアンテナ。
【請求項２】
前記インピーダンス整合部が接続される端子部が、信号電流の給電される給電端子であることを特徴とする請求項１に記載のチップアンテナ。
【請求項３】
前記アンテナ部が、前記基体上、もしくは基体内部に設けられた導体から形成されたことを特徴とする請求項１乃至２のいずれかに記載のチップアンテナ。
【請求項４】
前記アンテナ部が、前記基体上に設けられた導電膜をスパイラル状にトリミングして形成されたヘリカルアンテナであり、前記インピーダンス整合部が、前記導電膜をトリミングして形成された導体部であることを特徴とする請求項１〜３のいずれか１に記載のチップアンテナ。
【請求項５】
前記アンテナ部が、前記基体上に巻き回された導電線により形成されたヘリカルアンテナであり、前記インピーダンス整合部が、前記巻き回された導電線の一方が引き出されて形成されていることを特徴とする請求項１〜３のいずれか１に記載のチップアンテナ。
【請求項６】
前記アンテナ部が、前記基体に形成された逆Ｆ型アンテナであって、前記インピーダンス整合部が、前記逆Ｆ型アンテナを形成する導体の根元部に接続された導体部であることを特徴とする請求項１〜３のいずれか１に記載のチップアンテナ。
【請求項７】
前記アンテナ部が、前記基体に形成されたメアンダアンテナであって、前記インピーダンス整合部が、前記メアンダアンテナに接続された導体部であることを特徴とする請求項１〜３のいずれか１に記載のチップアンテナ。
【請求項８】
前記アンテナ部が、前記基体に形成されたループ導体によるループアンテナであって、前記インピーダンス整合部が、前記ループアンテナに接続された導体部であることを特徴とする請求項１〜３のいずれか１に記載のチップアンテナ。
【請求項９】
前記インピーダンス整合部が、前記アンテナ部と一体で形成されることを特徴とする請求項１〜８のいずれか１に記載のチップアンテナ。
【請求項１０】
前記インピーダンス整合部が、前記アンテナ部と、前記給電端子との間のインピーダンス値を所定の値に設定するものであることを特徴とする請求項１〜９のいずれか１に記載のチップアンテナ。
【請求項１１】
前記インピーダンス整合部の周囲に、前記インピーダンス整合部と電気的に非導通である少なくとも１以上の調整用導体が形成されていることを特徴とする請求項１〜１０のいずれか１に記載のチップアンテナ。
【請求項１２】
前記インピーダンス整合部と前記調整用導体の少なくとも一部が電気的に接続されることで、前記インピーダンス整合部のインピーダンス値を事後調整可能であることを特徴とする請求項１１に記載のチップアンテナ。
【請求項１３】
前記インピーダンス整合部の周囲に、前記インピーダンス整合部と電気的に接続されている少なくとも１以上の調整用導体が形成されていることを特徴とする請求項１〜１０のいずれか１に記載のチップアンテナ。
【請求項１４】
前記インピーダンス整合部と電気的に接続されている調整用導体の少なくとも一部が切断されることで、前記インピーダンス整合部のインピーダンス値を事後調整可能であることを特徴とする請求項１３に記載のチップアンテナ。
【請求項１５】
前記インピーダンス整合部が、前記アンテナ部と接続される第一導体部と、前記一対の端子部の一方と接続される第二導体部から形成され、前記第一導体部と前記第二導体部とが所定の間隔をもって対向していることを特徴とする請求項１〜１４のいずれか１に記載のチップアンテナ。
【請求項１６】
前記対向する第一導体部と第二導体部が結合容量を生じることを特徴とする請求項１５に記載のチップアンテナ。
【請求項１７】
前記結合容量により、前記インピーダンス整合部での整合が実現されることを特徴とする請求項１６に記載のチップアンテナ。
【請求項１８】
前記インピーダンス整合部が、それぞれ所定の間隔をもって対向する複数の導体部から形成され、前記インピーダンス整合部が複数の結合容量から形成されることを特徴とする請求項１〜１４のいずれか１に記載のチップアンテナ。
【請求項１９】
前記対向する複数の導体部同士が有する対向距離が、各々の対向箇所において相違することを特徴とする請求項１８に記載のチップアンテナ。
【請求項２０】
前記複数の導体部により形成される複数の対向部の少なくとも一部を電気的に接続することで、前記インピーダンス整合部における容量値を変化させることを特徴とする請求項１８乃至１９のいずれかに記載のチップアンテナ。
【請求項２１】
前記アンテナ部、もしくは前記インピーダンス整合部が、前記基体に複数形成されることを特徴とする請求項１〜２０のいずれか１に記載のチップアンテナ。
【請求項２２】
請求項１〜２１いずれか１記載のチップアンテナと、
前記チップアンテナを実装する実装体と、
前記実装体に設けられ、前記チップアンテナの一対の端子部の一方に信号電流を給電する給電部と、前記一対の端子部の他方に接続される開放端部を有することを特徴とするアンテナモジュール。
【請求項２３】
前記アンテナモジュールと、
前記アンテナモジュールと接続され送信信号を変調する変調部と、
前記アンテナモジュールと接続され受信信号を復調する復調部と、
動作を制御する制御部と、
電源を供給する電源部と、
これらを格納する筐体を有することを特徴とする電子機器。
【発明の詳細な説明】
【技術分野】
【０００１】
本発明は、移動体通信やパーソナルコンピュータなどの無線通信を行う電子機器等に好適に用いられるチップアンテナに関するものである。
【背景技術】
【０００２】
近年、携帯端末において、通話を行うためのホイップアンテナや内蔵アンテナを設け、各アンテナに加えて他の電子機器との間でデータの無線通信を行うためにアンテナを搭載するものが増えてきている。
【０００３】
また、ノートブックパソコンなどの携帯型モバイル電子機器においても、無線ＬＡＮなどを用いてデータ通信を無線で行うものが増えてきており、その電子機器内にアンテナを搭載するものも増えてきている。
【０００４】
更に、近年の携帯電話やノートブックパソコンなどは、小型化、低消費電力化が必須要件となっており、アンテナ装置の小型化が望まれる。
【０００５】
ここで、アンテナの小型化を実現するためにインピーダンス整合回路をなくし、アンテナチップと高周波回路との間に導体パターンを形成し、導体パターンの長さを調整することによりインピーダンス調整をおこなうアンテナが検討されている（例えば特許文献１参照）。図２１は従来の技術におけるアンテナの斜視図であり、チップアンテナ１０１の給電部１０４側に導体パターン１０２が形成されており、この導体パターン１０２は高周波回路部１０５に接続されている。
【０００６】
１０１はチップアンテナであり、１０２は導体パターン、１０３は開放部、１０４は給電部、１０５は高周波回路部である。チップアンテナ１０１は基板パターンなどで形成される。チップアンテナ１０１の先端部は開放端１０３となっており、後方部は給電部１０４になっている。チップアンテナ１０１の給電部１０４と導体パターン１０２が接続されており、さらに導体パターン１０２は高周波回路部１０５に接続されている構成となっている。給電部１０４からは信号電流が供給され、供給された信号はチップアンテナ１０１の有する共振周波数にしたがって放射される。受信も同様である。このとき導体パターン１０２の長さを調整することによりチップアンテナ１０１の入力インピーダンスと高周波回路部１０５の特性インピーダンスを一致させている。
【特許文献１】特開平１１−２７０２５号公報
【発明の開示】
【発明が解決しようとする課題】
【０００７】
しかしながら、上記の従来のアンテナでは、チップアンテナと導体パターンを別々に形成することからアンテナモジュールの占める面積が大きくなり、機器の小型化が困難となる問題があった。
【０００８】
また、チップアンテナの導体の長さを調整することにより、チップアンテナの入力インピーダンスと高周波回路部の特性インピーダンスを調整することから、実装基板にチップアンテナを搭載する際、導体パターンの長さを変えることから、アンテナの位置を調整する必要があるといった問題があった。
【０００９】
更に、携帯型モバイル電子機器に上記従来のアンテナを実装する際、実装基板に導体パターンを形成する必要があることから、作業工程数及び作業工程時間が増え、製造コスト
が上昇するといった問題があった。
【００１０】
本発明は、アンテナモジュールの小型化を実現しつつ、チップアンテナの入力インピーダンスと高周波回路の特性インピーダンスを調整する導体パターン及び整合回路を必要とせず、実装基板への実装時の調整やアンテナモジュールの大型化の負担を低減することで、その使用を容易とするチップアンテナを供給することを目的とする。
【課題を解決するための手段】
【００１１】
本発明は、基体と、基体に設けられた一対の端子部と、基体の一部に設けられたアンテナ部と、基体の一部に設けられたインピーダンス整合部を有し、インピーダンス整合部が、アンテナ部と電気的に接続された導体により形成されており、アンテナ部が、一対の端子部の一方と接続され、インピーダンス整合部が、一対の端子部の他方と接続された構成とする。
【発明の効果】
【００１２】
本発明の構成により、チップアンテナを構成する素子基体そのものに、インピーダンス整合部を設けることで、チップアンテナを実装するユーザーにおいて、チップアンテナの入力インピーダンスと高周波回路の特性インピーダンスを一致させるための導体パターン及び整合回路が不要となり、非常に小型のチップアンテナを実現することができ、他の実装部品の実装領域の確保に負担をかけることが無くなり、またチップアンテナの位置を調整する必要がなく、バランスの良い高密度実装が可能となる。また、当然ながらアンテナを実装するユーザーにおける手間などの負担が減少される。
【００１３】
特に、素子基体上のインピーダンス整合部の周囲に、インピーダンス整合部と電気的に非導通である調整用導体が形成されていて、この調整用導体を電気的に結合したりすることでインピーダンス調整をおこなうことができる。また、インピーダンス整合部が、アンテナ部と接続される第一導体と、一対の端子部の一方と接続される第二導体から形成され、第一導体と第二導体が所定の間隔をもって対向していることで結合容量が生じ、この結合容量によりインピーダンス調整をおこなうことができることから、チップアンテナを実装するユーザーにとって非常に使い勝手の良いチップアンテナを提供することができるようになる。
【発明を実施するための最良の形態】
【００１４】
本発明の請求項１に記載の発明は、基体と、基体に設けられた一対の端子部と、基体の一部に設けられたアンテナ部と、基体の一部に設けられたインピーダンス整合部を有し、インピーダンス整合部が、アンテナ部と電気的に接続された導体により形成されており、アンテナ部が、一対の端子部の一方と接続され、インピーダンス整合部が、一対の端子部の他方と接続されていることを特徴とするチップアンテナであって、インピーダンス整合部のインピーダンスにより、アンテナ部の入力インピーダンスと高周波回路における特性インピーダンスを一致させることができ、チップアンテナの使用者は、あらかじめ素子体であるチップアンテナのみで、インピーダンス調整が可能となり、インピーダンス調整のための導体パターン及び整合回路を実装基板に形成する必要がないことから、実装基板におけるアンテナの占める面積を小さくすることができ、小型のアンテナを提供することができる。
【００１５】
本発明の請求項２に記載の発明は、インピーダンス整合部が接続される端子部が、信号電流の給電される給電端子であることを特徴とする請求項１に記載のチップアンテナであって、受信の場合、アンテナ部で生じる入力インピーダンスが、インピーダンス整合部によりインピーダンスの調整がおこなわれて給電端子を通じて高周波回路へと送られる。送信の場合は、高周波回路における信号の特性インピーダンスが給電端子を通じてインピー
ダンス整合部へ送られ、インピーダンス整合部によりインピーダンス調整がおこなわれてアンテナ部の入力インピーダンスと一致させて信号の送信がおこなわれる。
【００１６】
本発明の請求項３に記載の発明は、アンテナ部が、基体上、もしくは基体内部に設けられた導体から形成されたことを特徴とする請求項１乃至２のいずれかに記載のチップアンテナであって、アンテナ部の発生するインダクター成分とアンテナ部以外で生じる容量成分により決定される共振周波数においてアンテナとして動作する。
【００１７】
本発明の請求項４に記載の発明は、アンテナ部が、基体上に設けられた導電膜をスパイラル状にトリミングして形成されたヘリカルアンテナであり、インピーダンス整合部が、導電膜をトリミングして形成された導体部であることを特徴とする請求項１〜３のいずれか１に記載のチップアンテナであって、高精度のヘリカルアンテナを形成することが可能である。
【００１８】
本発明の請求項５に記載の発明は、アンテナ部が、基体上に巻き回された導電線により形成されたヘリカルアンテナであり、インピーダンス整合部が、巻き回された導電線の一方が引き出されて形成されていることを特徴とする請求項１〜３のいずれか１に記載のチップアンテナであって、容易かつ低コストにヘリカルアンテナを形成することが可能である。
【００１９】
本発明の請求項６に記載の発明は、アンテナ部が、基体に形成された逆Ｆ型アンテナであって、インピーダンス整合部が、逆Ｆ型アンテナを形成する導体の根元部に接続された導体部であることを特徴とする請求項１〜３のいずれか１に記載のチップアンテナであって、基体上に容易かつ低コストにアンテナ部を形成することが可能である。
【００２０】
本発明の請求項７に記載の発明は、アンテナ部が、基体に形成されたメアンダアンテナであって、インピーダンス整合部が、メアンダアンテナに接続された導体部であることを特徴とする請求項１〜３のいずれか１に記載のチップアンテナであって、ミアンダピッチおよびターン数によって共振周波数が決まる高精度のアンテナ部を形成することが可能となる。
【００２１】
本発明の請求項８に記載の発明は、アンテナ部が、基体に形成されたループ導体によるループアンテナであって、インピーダンス整合部が、ループアンテナに接続された導体部であることを特徴とする請求項１〜３のいずれか１に記載のチップアンテナであって、ターン数によって共振周波数が決まる高精度のアンテナ部を形成することが可能となる。
【００２２】
本発明の請求項９に記載の発明は、インピーダンス整合部が、アンテナ部と一体で形成されることを特徴とする請求項１〜８のいずれか１に記載のチップアンテナであって、アンテナ部とインピーダンス整合部が一体で形成されることから製造工程が少なくてすみ、低コストのアンテナを提供することができる。
【００２３】
本発明の請求項１０に記載の発明は、インピーダンス整合部が、アンテナ部と、給電端子との間のインピーダンス値を所定の値に設定するものであることを特徴とする請求項１〜９のいずれか１に記載のチップアンテナであって、インピーダンス整合部によりアンテナ部の入力インピーダンスと高周波回路の特性インピーダンスを一致させて、送受信信号の反射をなくしたチップアンテナを提供できる。
【００２４】
本発明の請求項１１に記載の発明は、インピーダンス整合部の周囲に、インピーダンス整合部と電気的に非導通である少なくとも１以上の調整用導体が形成されていることを特徴とする請求項１〜１０のいずれか１に記載のチップアンテナであって、インピーダンス
整合部とインピーダンス整合部の周囲にある少なくとも１以上の調整用導体とを電気的に接続することによって、インピーダンス整合部のインピーダンスを変化させて、インピーダンス調整をおこなうことができる。
【００２５】
本発明の請求項１２に記載の発明は、インピーダンス整合部と調整用導体の少なくとも一部が電気的に接続されることで、インピーダンス整合部のインピーダンス値を事後調整可能であることを特徴とする請求項１１に記載のチップアンテナであって、インピーダンス整合部と調整用導体の少なくとも一部とを電気的に接続することによって、インピーダンス整合部のインピーダンスを変化させて、インピーダンス調整をおこなうことができる。
【００２６】
本発明の請求項１３に記載の発明は、インピーダンス整合部の周囲に、インピーダンス整合部と電気的に接続されている少なくとも１以上の調整用導体が形成されていることを特徴とする請求項１〜１０のいずれか１に記載のチップアンテナであって、インピーダンス整合部と電気的に接続されている少なくとも１以上の調整用導体とを電気的に切断することによって、インピーダンス整合部のインピーダンスを変化させて、インピーダンス調整をおこなうことができる。
【００２７】
本発明の請求項１４に記載の発明は、インピーダンス整合部と電気的に接続されている調整用導体の少なくとも一部が切断されることで、インピーダンス整合部のインピーダンス値を事後調整可能であることを特徴とする請求項１３に記載のチップアンテナであって、インピーダンス整合部と電気的に接続されている調整用導体の少なくとも一部が切断されることによって、インピーダンス整合部のインピーダンスを変化させて、インピーダンス調整をおこなうことができる。
【００２８】
本発明の請求項１５に記載の発明は、インピーダンス整合部が、アンテナ部と接続される第一導体と、一対の端子部の一方と接続される第二導体から形成され、第一導体と第二導体とが所定の間隔をもって対向していることを特徴とする請求項１〜１４のいずれか１に記載のチップアンテナであって、第一導体と第二導体の所定の間隔により生じる結合容量によりインピーダンス調整をおこなうことができる。
【００２９】
本発明の請求項１６に記載の発明は、対向する第一導体と第二導体が結合容量を生じることを特徴とする請求項１５に記載のチップアンテナであって、第一導体と第二導体の所定の間隔により生じる結合容量によりインピーダンス調整をおこなうことができる。
【００３０】
本発明の請求項１７に記載の発明は、結合容量により、インピーダンス整合部での整合が実現されることを特徴とする請求項１６に記載のチップアンテナであって、第一導体と第二導体とが所定の間隔をもって対向していることで結合容量が生じ、この結合容量によりインピーダンス調整をおこなうことができる。
【００３１】
本発明の請求項１８に記載の発明は、インピーダンス整合部が、それぞれ所定の間隔をもって対向する複数の導体部から形成され、インピーダンス整合部が複数の結合容量から形成されることを特徴とする請求項１〜１４のいずれか１に記載のチップアンテナであって、複数の導体部から生じる複数の結合容量によりインピーダンス調整をおこなうことができる。
【００３２】
本発明の請求項１９に記載の発明は、対向する複数の導体部同士が有する対向距離が、各々の対向箇所において相違することを特徴とする請求項１８に記載のチップアンテナであって、複数の導体部同士が有する対向距離が、各々の対向箇所において相違することによって各々の結合容量を生じさせ、これら各々の結合容量によりインピーダンス調整をお
こなうことができる。
【００３３】
本発明の請求項２０に記載の発明は、複数の導体部により形成される複数の対向部の少なくとも一部を電気的に接続することで、インピーダンス整合部における容量値を変化させることを特徴とする請求項１８乃至１９のいずれかに記載のチップアンテナであって、複数の導体部により形成される複数の対向部の少なくとも一部を電気的に接続することで、インピーダンス整合部における容量値を変化させることによりインピーダンス調整をおこなうことができる。
【００３４】
本発明の請求項２１に記載の発明は、アンテナ部、もしくはインピーダンス整合部が、基体に複数形成されることを特徴とする請求項１〜２０のいずれか１に記載のチップアンテナであって、一つの素子体からなるチップアンテナより、複数の周波数に対応する多共振のチップアンテナを実現できる。
【００３５】
本発明の請求項２２に記載の発明は、請求項１〜２１いずれか１記載のチップアンテナと、チップアンテナを実装する実装体と、実装体に設けられ、チップアンテナの一対の端子部の一方に信号電流を給電する給電部と、一対の端子部の他方に接続される開放端部を有することを特徴とするアンテナモジュールであって、実装基板などに余分なインピーダンス整合回路を形成することなく、アンテナモジュールの小型化が実現され、チップアンテナの使用者による余分な事後調整や負担を解消して、あらかじめチップアンテナのみで、インピーダンス調整が可能となる。
【００３６】
本発明の請求項２３に記載の発明は、アンテナモジュールと、アンテナモジュールと接続され送信信号を変調する変調部と、アンテナモジュールと接続され受信信号を復調する復調部と、動作を制御する制御部と、電源を供給する電源部と、これらを格納する筐体を有することを特徴とする電子機器であって、導体パターンおよびインピーダンス整合回路を必要としない小型の電子機器を実現できる。
【００３７】
以下、図面を用いて説明する。
【００３８】
（実施の形態１）
まず、チップアンテナの形状、構造について説明し、更に、その動作について説明する。
【００３９】
図１は本発明の実施の形態１におけるチップアンテナの斜視図、図２〜図１４は本発明の実施の形態１におけるチップアンテナの上面図、図１５は本発明の実施の形態１におけるチップアンテナの側面図、図１６（ａ）、図１６（ｂ）は本発明の実施の形態１におけるアンテナ部の等価回路図、図１７は本発明の実施の形態１におけるインピーダンス整合部の等価回路図である。
【００４０】
１はチップアンテナ、２は基体、３、４は端子部であり、６はアンテナ部、７はインピーダンス整合部、２５は保護膜である。
【００４１】
まず、図１を用いてチップアンテナを構成する各部の詳細について説明する。
【００４２】
まず、基体２について説明する。
【００４３】
基体２はチップアンテナの素子を構成する形態を有するものであり、アルミナもしくはアルミナを主成分とするセラミック材料等の絶縁体もしくは誘電体などをプレス加工，押し出し法等を施して形成される。なお、基体２の構成材料としては、フォルステライト、
チタン酸マグネシウム系、チタン酸カルシウム系、ジルコニア・スズ・チタン系、チタン酸バリウム系、鉛・カルシウム・チタン系などのセラミック材料を用いてもよく、エポキシ樹脂などの樹脂材料を用いても良い。実施の形態１では、強度や絶縁性或いは加工の容易性の面からアルミナもしくはアルミナを主成分としたセラミック材料が用いられている。更に基体には全体に銅，銀，金，ニッケル等の導電材料で構成された導電膜が単層乃至複数積層され、導電性を有する表面が形成される。導電膜はめっき、蒸着、スパッタ、ペーストなどが用いられる。
【００４４】
また、基体２は角柱であってもよく、円柱であってもよく、三角柱、多角形柱のいずれであってもよく、その角部に面取りが施されていることで、素子の欠けやアンテナ部６を形成するときに、損傷を発生させることを防止することができるメリットがある。ここで、基体２が円柱状の場合には、角部が存在しなくなるので耐衝撃性が高まり、アンテナ部６の形成が容易となるメリットがある。
【００４５】
次に、端子部３、４について説明する。
【００４６】
端子部３、４は、基体２に一対に設けられ、図１などでは基体２の両端にそれぞれ設けられているが、両端ではなく、基体２の途中部分にそれぞれ設けられてもよいものである。また、端子部３、４は基体２と同じ材料や製造工法で形成されてもよく、材料を別途のものを採用してもよいものである。また、導電性のメッキ膜，蒸着膜，スパッタ膜等の薄膜や、銀ペーストなどを塗布して焼き付けなどを行ったものなどの少なくとも一つが用いられて、導電膜が施されて、実装基盤に形成された給電部２２、開放部２３などとの実装が実現され、電気接続も実現される。
【００４７】
なお、端子部３，４と基体２は一体で形成されてもよく、別体で形成されてもよい。
【００４８】
また、基体２は図１などに表されるように、その外周が端子部３，４よりも段落ちされていてもよいが、段落ちのないストレート構造であっても良いものである。
【００４９】
ここで、基体２の外周が段落ちされることで、実装時に基体がアンテナ実装基板の表面からの距離を持つことが可能となり、特性の劣化を防ぐことが可能になる。このとき段落ちを基体２の一部の面に対してのみおこなってもよく、全面に渡って段落ちさせてもよい。全面に渡って段落ちさせた場合には、実装時に電子基板との接する面を選択する留意が不要となり、実装時のコストを低下させることができる。
【００５０】
なお、チップアンテナ１はλ／４型アンテナであってもよく、λ／２型アンテナであってもよいが、小型化をより促進するためにλ／４型アンテナが用いられることが多く、この場合にはチップアンテナ１の近辺に存在するグランド面に生じるイメージ電流を利用して、送受信利得が確保される。このイメージ電流の利用を促すために、チップアンテナ１の長手方向に垂直な端面を有するグランド面が存在することが好ましい。
【００５１】
次に、給電部２２、開放部２３、給電源２４について説明する。
【００５２】
給電部２２、開放部２３は、それぞれ、チップアンテナ１を実装する基板に設けられた実装ランドなどにより形成され、給電部２２は給電源２４に接続されて、信号電流が供給され、あるいはチップアンテナ１で受信された受信信号が受信されて伝達される。開放部２３は中空となっており、この開放部２３の存在により、インダクタ成分と容量成分から定まる共振周波数に従って、チップアンテナ１から電磁波が放射されるものである。これらは、半田ランド、金属膜、金属めっき、金属ペーストなどから形成される。
【００５３】
給電源２４は、信号電流を給電する。あるいは、受信電流の受信を行う。ＲＦ回路などにより形成されており、例えば、ＲＦ回路とチップアンテナ１を接続する同軸ケーブルや、銅線、電極パターンなどがある。
【００５４】
次に、アンテナ部６について説明する。
【００５５】
アンテナ部６は基体２上に形成されたスパイラル部２６により形成される。このスパイラル部２６によりヘリカル巻線となって、インダクタ成分を発生させる。
【００５６】
なお、アンテナ部６とは、スパイラル部２６が基体２上に形成されている領域で、スパイラル部２６の開始から終了までをほぼ含む範囲をさす領域である。
【００５７】
アンテナ部６はそのスパイラル構造により、インダクタ成分を発生させるが、容量成分や抵抗成分なども発生させるものである。
【００５８】
また、アンテナ部６は、基体２の表面に形成された導電膜５をレーザーなどでトリミングしてスパイラル溝が形成されて実現されてもよく、あるいは銅線やアルミ線などの導電線を基体２に巻きつけることで実現されても良い。
【００５９】
なお、アンテナ部６はそのスパイラル部２６によりインダクタ成分が発生するものであるから、そのスパイラル部２６の巻き数に依存してインダクタ成分の大きさが決定されるものである。巻き数が多ければインダクタ成分が大きくなり、巻き数が少なければインダクタ成分が小さくなる。後で説明する共振条件は、インダクタ成分の平方根に反比例して大きさが決まるので、より高周波を実現する場合には、巻き数を少なくし、低周波を実現する場合には、巻き数を多くすれば良い。これはスパイラル部２６がその巻き形状により電気長が決まることを考慮しても明らかである。
【００６０】
また、アンテナ部６は、基体２の表面に銀、金、銅、アルミ、ニッケルなどの金属、あるいはこれらの合金等からなるメアンダ状９の放射電極が形成されて実現されてもよく、メアンダ状９のピッチおよびターン数により共振周波数が定まる。ミアンダピッチが狭い場合は、高周波帯域のアンテナとなり、ミアンダピッチが広い場合は、低周波帯域のアンテナとなる。なお、アンテナ部６は図４に示されているようなメアンダ状９に限らず、図５に示されている逆Ｆ型１０あるいは図６に示されているループ型１１により形成されて実現されてもよい。
【００６１】
また、図１４に示されるように、アンテナ部６は基体２上に複数存在してもよいものであり、図１４に示されるように、アンテナ部６とアンテナ部１８の２つが形成されてもよい。あるいは３以上のアンテナ部６が形成されてもよいものである。これにより一つの素子のチップアンテナ１により、複数の共振周波数をもつ、多共振アンテナが実現されるメリットがある。
【００６２】
次に、インピーダンス整合部７について説明する。
【００６３】
インピーダンス整合部７は、基体２上に設けられたアンテナ部６の存在しない部分にあり、基体２の端子部３側に設けられているものである。また、インピーダンス整合部７は、基体２と同じ材料や製造方法で形成されてもよく、材料を別途採用してもよいものである。また、導電性のメッキ膜、蒸着膜、スパッタ膜等の薄膜や、銀ペーストなどを塗布して焼き付けなどを行ったものなどの少なくとも一つがもちいられて、導電膜が施されて、基体２に形成された端子部４、アンテナ部６、端子部３などと電気的に接続されている。
【００６４】
インピーダンス整合部７は、アンテナ信号送信の場合、高周波回路部からの信号エネルギーの反射をなくしてアンテナに伝えるのに必要であり、逆にアンテナ信号の受信の場合、アンテナからの信号エネルギーを損失なく高周波回路に伝えるのに必要である。
【００６５】
また、アンテナの入力インピーダンスと高周波回路における特性インピーダンスが等しくない場合、入射波の一部または全部が反射してしまうことから、インピーダンス整合部７によりアンテナの入力インピーダンスと高周波回路の特性インピーダンスを一致させて、信号エネルギーを１００％伝えるようにするものである。
【００６６】
インピーダンス整合部７は、図２に示されているように基体２上に形成されたアンテナ部６と端子部３をつなぐインピーダンス整合部７の導電膜５の長さを調整することによってインピーダンス調整をおこなう。インピーダンス整合部７の導電膜５の長さを変えることにより、インピーダンス整合部７のインピーダンス値が変化し、アンテナの入力インピーダンスと高周波回路の特性インピーダンスが一致するように調整する。このことにより信号エネルギーを反射させることなく伝達することができる。
【００６７】
また、アンテナ部６と端子部３をつなぐインピーダンス整合部７の導電膜５にトリミングをおこなうことによって、インピーダンス調整をおこなうものである。インピーダンス整合部７における導電膜５の余分な部分をレーザーなどで削り取るトリミングにより、残った部分（即ち導電膜が残っている部分）をインピーダンス整合部７とすることができる。このようなインピーダンス整合部７のトリミングにより、非常に精度の高いインピーダンス整合部７を形成できるメリットがある。即ち、その長さや幅、あるいは面積などを精度よく形成することができるため、所望のインピーダンスを得ることが容易となる。特に、レーザーによるトリミングにより、形状や長さをμ単位で微調整することが可能となり、精度の高いインピーダンス整合部７を得ることができるようになる。
【００６８】
また、図７に示されているように、アンテナ部６と端子部３をつなぐインピーダンス整合部７の周辺に、インピーダンス整合部７とは電気的に非導通である調整用導体１２が形成されており、インピーダンス整合に必要な箇所だけ電気的に接続することによってインピーダンス調整をおこなうものである。インピーダンス整合部７の導電膜５に調整用導体１２を電気的に接続することで、インピーダンス整合部７のインピーダンスを変化させ、アンテナの入力インピーダンスと高周波回路の特性インピーダンスが一致するようにインピーダンスを調整するものである。インピーダンス整合部７の導電膜５にインピーダンス整合部７とは電気的に非導通である調整用導体１２を必要な箇所だけ接続する際には、銅・銀・金、ニッケル等の導電材料で構成された導電膜５を、インピーダンス整合部７の導電膜５と調整用導体１２との間に形成することで接続をおこなう。また、銅・銀・金、ニッケル等の導電性ペーストにより接続をおこなってもよいものである。
【００６９】
さらに、図９に示されているように、アンテナ部６と端子部３をつなぐインピーダンス整合部７に、インピーダンス整合部７と電気的に接続している調整用導体１２が形成されており、インピーダンス整合に必要な箇所だけ電気的に切断することによってインピーダンス調整をおこなうものである。インピーダンス整合部７の導電膜５に電気的に接続されている調整用導体１２を切断することで、インピーダンス整合部７のインピーダンスが変化し、アンテナの入力インピーダンスと高周波回路の特性インピーダンスが一致するようにインピーダンスを調整するものである。
【００７０】
また、図１０に示されているようにインピーダンス整合部７が、アンテナ部６と接続される第一導体１５と、一対の端子部の一方と接続される第二導体１６から形成され、第一導体１５と第二導体１６とが所定の間隔をもって対向していることで、第一導体１５と第二導体１６との間に結合容量が生じる。このことから第一導体１５と第二導体１６との間
隔を調整することでインピーダンスを調整するものである。
【００７１】
また、インピーダンス整合部７が、対向する複数の導体部１７から形成される場合、インピーダンス整合部７において複数の結合容量が生じる。このことから、インピーダンス整合部７に形成される複数の導体の数および対向距離を調整することによりインピーダンスを調整するものである。
【００７２】
更には、インピーダンス整合部７における複数の導体部１７により形成される複数の対向部の少なくとも一部を電気的に接続することで、インピーダンス整合部７における容量値を変化させることで、インピーダンス整合部７のインピーダンスが変化し、アンテナの入力インピーダンスと高周波回路の特性インピーダンスが一致するようにインピーダンスを調整するものである。インピーダンス整合部７の導電膜５を必要な箇所だけ電気的に接続する際には、銅・銀・金、ニッケル等の導電材料で構成された導電膜５を複数の導体部１７により形成される複数の対向部の少なくとも一部に形成することで接続をおこなう。また、銅・銀・金、ニッケル等の導電性ペーストにより電気的に接続をおこなってもよいものである。
【００７３】
また、図１４に示されるように、インピーダンス整合部７は基体２上に複数存在してもよいものであり、アンテナ部６とアンテナ部１８の間にインピーダンス整合部７が形成され、アンテナ部１８と端子部３との間にインピーダンス整合部１９を形成したものであってもよい。あるいは３以上のインピーダンス整合部７が形成されてもよいものである。これにより一つの素子のチップアンテナ１により、複数の共振周波数をもつ多共振アンテナを形成でき、さらには多共振のアンテナのインピーダンス調整が可能となるメリットがある。
【００７４】
このようなインピーダンス整合部７は、従来の技術では実装基板におけるチップインダクタ１０１の給電部１０４と高周波回路１０５との間に導電パターン１０２として形成されていたものが、チップアンテナ１の基体２に取り込まれたものであり、余分な実装面積を不要とするものである。また、基体２にインピーダンス整合部７を形成することから基板２上に形成されていたインピーダンス整合回路に比べ、基体の比誘電率は基板の比誘電率よりも大きいことから、波長短縮効果によりインピーダンス整合回路の小型化が可能になるものである。
【００７５】
更にあらかじめ基体２上にインピーダンス調整を行うインピーダンス整合部７が形成されていることで、チップアンテナ単体で、インピーダンス調整が可能となるので、チップアンテナユーザーにとって、事後調整の手間を低減でき、非常にユーザーフレンドリーな部品として供給することができる。
【００７６】
また、本発明のチップアンテナ１は面実装が可能で、携帯端末からノートブックパソコンなど様々な電子機器に応用が可能で、しかも自動実装ができるため、非常にコスト、効率の面で効果的である。
【００７７】
更に、基体２により形成されるため、その耐久性は高く、衝撃などにも強い。また、インピーダンスを生じさせるインピーダンス整合部７は、基体２の表面に導電膜５を施した状態のまま形成されるため、非常に簡単に形成でき、従来の技術の図２１で示したように、わざわざ導電パターン１０２を形成する必要もなく、非常に簡易である。
【００７８】
次に、保護膜２５について説明する。保護膜２５は図１５に示されている。
【００７９】
保護膜２５が設けられることで、基体２の導電膜５への損傷やスパイラル部２６などの
損傷を防止することが可能となる。特に運搬時や実装時の衝撃や熱から守ることが可能となる。保護膜２５は基体２の表面に塗布される。あるいは電着膜などにより実現される。ありはチューブ状の保護膜２５により、あらかじめチューブ状をした熱可塑性の保護材料を基体２の周囲を覆って置き、熱収縮作用を利用して、保護膜２５を実現することも良い。
【００８０】
保護膜２５にはエポキシ樹脂などの樹脂材料が好適に用いられ、基体２の全面を覆ってもよく、あるいは少なくともアンテナ部６のみを覆ってもよい。なお、塗布などにより保護膜２５が形成されると、アンテナ部６のスパイラル部２６内部に保護膜２５が入り込み、保護膜２５が高誘電率の材料であるとアンテナの共振周波数を変動させる恐れがある。このため保護膜２５に用いる材料には、低誘電率のものが好ましい。ただし、ある程度保護膜２５の誘電率を考慮に入れた上で、アンテナ部６やインピーダンス整合部７の形状、大きさを設計しておくことで、所望の周波数などのアンテナ特性を得ることができる。
【００８１】
なお、チューブ状の保護膜２５がアンテナ部６を覆って設けられ、スパイラル部２６に保護膜２５が流れ込まなくなる。これによりチューブ状の保護膜２５を設けることによるアンテナ特性の変動が生じることはないメリットがある。ここで、チューブ状の保護膜２５としては樹脂製でしかも熱収縮性のあるものを選ぶことが好ましい。これは、基体２にチューブ状の保護膜２５を被せ、熱処理することでチューブが収縮し、確実にチューブ状の保護膜２５を基体２上に形成することができるからである。
【００８２】
また、好ましくは、保護膜２５は基体２の段落ちした部分に収納されるように形成されることで、端子部３、４の側面の高さと保護膜２５の側面の高さが等しいかそれ以下となるように構成することが好ましい。これにより、電子基板への実装時の作業の容易性が確保されるからである。
【００８３】
次に、図１６（ａ）、図１６（ｂ）を用いて、チップアンテナ１の動作について説明する。
【００８４】
図１６（ａ）には、図１で示されるチップアンテナ１の等価回路が示されており、Ｌαはアンテナ部６から生じるインダクタ成分である。
【００８５】
図１６（ｂ）には、図１４で示される二つのアンテナ部６が存在するチップアンテナ１の等価回路が示されており、Ｌαはアンテナ部６から生じるインダクタ成分である。
【００８６】
インダクタ成分と容量成分が直列接続されている場合には、その共振周波数は（数１）により決定される。
【００８７】
【数１】
2006050213.tif 000003
【００８８】
即ち、インダクタ成分と容量成分の積の平方根により定まることになる。
【００８９】
これから、ＬαとＣαとから定まる共振条件に対応した共振周波数での送受信動作が、図１などのチップアンテナ１で実現される。
【００９０】
これに対して、図１４のチップアンテナ１では、上記ＬαとＣαとから定まる共振周波
数と、Ｌα、Ｌβ、Ｃα、Ｃβの全てから定まる共振周波数での送受信動作の２共振が実現される。
【００９１】
例えば、ＤＣＳで規格されている携帯電話の使用周波数約１．８ＧＨｚやＧＳＭ１９００の規格に対応する約１．９ＧＨｚの双方に対応するなどである。
【００９２】
なお、アンテナ部６が３以上であれば、３以上の共振周波数を実現することが可能である。
【００９３】
次に、インピーダンス整合について説明する。
【００９４】
図１７には、図１で示されるインピーダンス整合部７の等価回路が示されており、単位長さ当たり抵抗値とインダクタンス値が直列に並び、コンデンサとコンダクタンスが並列に並んだ回路となっている。このことからインピーダンス整合部７は、抵抗・インダクター・コンデンサが一様に分布している構造となっており、インピーダンス整合部７の導体膜５の長さを調整したり、導体部１７を接続、切断をおこなったりすることで、アンテナの入力インピーダンスと高周波回路の特性インピーダンスを一致させるインピーダンスの調整を行うことが可能となるものである。
【００９５】
このことにより、アンテナの信号エネルギーは、反射されて信号エネルギーが減損することなく高周波回路に伝達される。
【００９６】
（実施の形態２）
実施の形態２においては、２以上、すなわち複数のチップアンテナを組み合わせた場合について説明する。例えば、携帯電話での８００ＭＨｚ、９００ＭＨｚ、１．８ＧＨｚ、１．９ＧＨｚのそれぞれ、あるいは一部に対応するために、あるいは、無線ＬＡＮなどでの２．４ＧＨｚと５ＧＨｚの両方に対応するためなどに、一つの電子機器で多共振を実現する必要がある。
【００９７】
実施の形態２においてはこのような場合に、複数の素子からなるチップアンテナ、あるいはアンテナモジュールについて説明するものである。
【００９８】
図１８、図１９は本発明の実施の形態２におけるチップアンテナの構成図である。
【００９９】
２０、２１はチップアンテナ、２Ａ、２Ｂ、２Ｃは基体、３Ａ、３Ｂ、３Ｃは端子部、４Ａ、４Ｂ、４Ｃは端子部、２２Ａ、２２Ｂ、２２Ｃは給電部、２３Ａ、２３Ｂ、２３Ｃは開放部、２４は給電源、６Ａ、６Ｂ、６Ｃはアンテナ部、７Ａ、７Ｂ、７Ｃはインピーダンス整合部であり、図１８には共通の給電源に二つの素子が接続されたチップアンテナ２０が、図１９には共通の給電源２４に３つの素子が接続されたチップアンテナ２１が表されている。
【０１００】
なお、図１８、１９ではそれぞれ素子が２、３の場合が表されているが、４以上であってもよく、並列に接続されてもよく、直列に接続されてもよく、二次元平面に配置されてもよく、三次元空間に配置されてもよく、スター型に配置されてもよく、種々の形態が考慮される。
【０１０１】
また、共通となる給電源２４に接続される形態が表されているが、これ以外であっても、異なる給電源２４にそれぞれが接続されたものであってもよいものである。
【０１０２】
各部の詳細は、実施の形態１において説明した内容と同様である。
【０１０３】
ここで、アンテナ部６Ａ、６Ｂ、６Ｃのそれぞれは基体２Ａ、基体２Ｂ、基体２Ｃのそれぞれにおいて、給電部２２Ａ、２２Ｂ、２２Ｃのそれぞれに接続される端子部３Ａ、３Ｂ、３Ｃに配置される。同様にインピーダンス整合部７Ａ，７Ｂ、７Ｃはその後方であり、開放部２３Ａ、２３Ｂ、２３Ｃに接続される端子部４Ａ、４Ｂ、４Ｃのそれぞれに配置される。アンテナ部６とインピーダンス整合部７は一つの導電膜５により、電気的に導通していてもよく、物理的には導通していないが、容量結合していてもよいものである。また、アンテナ部６Ａ、６Ｂ、６Ｃは、実施の形態１において説明したとおり、導電膜５をレーザーや砥石などでトリミングして形成されてもよく、銅線などの導電線を巻きつけて形成されたものであってもよい。さらには、基体２の表面に銅あるいは銅合金等からなるメアンダ状９の放射電極にて形成されていてもよく、逆Ｆ型１０、ループ型１１により形成されていてもよい。
【０１０４】
アンテナ部６Ａ、６Ｂ、６Ｃは、アンテナ部が存在する領域であり、これ以外の基体２Ａ、２Ｂ、２Ｃ上の領域がインピーダンス整合部７Ａ、７Ｂ、７Ｃである。
【０１０５】
すなわち、給電源２４を基準として考えると、給電部２２Ａ、２２Ｂ、２２Ｃに接続される端子部３Ａ、３Ｂ、３Ｃ、ついで、インピーダンス整合部７Ａ、７Ｂ、７Ｃ、ついでアンテナ部６Ａ、６Ｂ、６Ｃ、ついで開放部２３Ａ、２３Ｂ、２３Ｃに接続される端子部４Ａ，４Ｂ，４Ｃの順で配置される形態である。
【０１０６】
もちろん、このとき、アンテナ部やインピーダンス整合部が複数あってもよく、上記のような不可避、あるいは特段大きな影響を及ぼさない傷や溝などが存在してもよいものである。
【０１０７】
また、言い換えると、インピーダンス整合部７Ａ、７Ｂ、７Ｃは、アンテナ部６Ａ、６Ｂ、６Ｃを介して開放部２３Ａ、２３Ｂ、２３Ｃに接続される端子部４Ａ，４Ｂ，４Ｃと電気的に接続される。逆にアンテナ部６Ａ、６Ｂ、６Ｃは、インピーダンス整合部７Ａ、７Ｂ、７Ｃを介して、給電部２２Ａ、２２Ｂ、２２Ｃに接続される端子部３Ａ、３Ｂ、３Ｃと電気的に接続されるものである。
【０１０８】
このように、図１８、図１９に表されるチップアンテナであっても、給電部２２Ａ、２２Ｂ、２２Ｃを基準として考えた場合には、基体２Ａ、２Ｂ、２Ｃ上にあらかじめ形成されたインピーダンス整合部７Ａ、７Ｂ、７Ｃの発生するインピーダンスにより、チップアンテナ２０、２１のそれぞれの素子におけるインピーダンス調整が実現されるものである。
【０１０９】
このとき、インピーダンス整合部７Ａ、７Ｂ、７Ｃによりインピーダンスが調整されることは実施の形態１で説明したとおりであるから、例えば、基体２上に形成されたアンテナ部６と端子部３をつなぐインピーダンス整合部７の導電膜５の長さを調整することによってインピーダンス調整をおこなう方法や、また、アンテナ部６と端子部３をつなぐインピーダンス整合部７の周辺に、インピーダンス整合部７とは電気的に非導通である調整用導体１２が形成されており、インピーダンス整合に必要な箇所だけ電気的に接続することによってインピーダンス調整をおこなう方法がある。
【０１１０】
さらに、アンテナ部６と端子部３をつなぐインピーダンス整合部７に、インピーダンス整合部７と電気的に接続している調整用導体１２が形成されており、インピーダンス整合に必要な箇所だけ電気的に切断することによってインピーダンス調整をおこなう方法があり、また、インピーダンス整合部７が、アンテナ部６と接続される第一導体１５と、一対の端子部の一方と接続される第二導体１６から形成され、第一導体１５と第二導体１６と
が所定の間隔をもって対向していることで、第一導体１５と第二導体１６との間に結合容量が生じ、第一導体１５と第二導体１６との間隔を調整することでインピーダンスを調整する方法もある。
【０１１１】
更には、インピーダンス整合部７が、対向する複数の導体部１７から形成される場合、インピーダンス整合部７において複数の結合容量が生じ、インピーダンス整合部に形成される複数の導体の数および対向距離を調整することによりインピーダンスを調整する方法もあり、また、インピーダンス整合部７における複数の導体部１７により形成される複数の対向部の少なくとも一部を電気的に接続することで、インピーダンス整合部７における容量値を変化させることで、インピーダンス整合部７のインピーダンスが変化し、アンテナの入力インピーダンスと高周波回路の特性インピーダンスが一致するようにインピーダンスを調整する方法もある。
【０１１２】
以上のように、素子を複数とした場合であっても、基体２Ａ、２Ｂ、２Ｃに、インピーダンス整合部７Ａ、７Ｂ、７Ｃを給電部２２Ａ、２２Ｂ、２２Ｃと接続される端子部３Ａ、３Ｂ、３Ｃ側に、アンテナ部６Ａ、６Ｂ、６Ｃを開放部２３Ａ、２３Ｂ、２３Ｃと接続される端子部４Ａ，４Ｂ，４Ｃ側に配置する構成し、インピーダンス整合部７における導体膜５においてインピーダンス調整をおこなうことでインピーダンス調整を実現できる。
【０１１３】
しかも、本発明のチップアンテナ２０，２１により、アンテナの小型化が実現されるため、電子機器のアンテナ部の小型化に対応することが可能である。また、このようなチップアンテナ２０、２１を使用する電子機器メーカーなどのユーザーにとっても、実装基板上にインピーダンス調整を行う導体パターンやインピーダンス整合回路などを形成したりする手間が省力化でき、電子機器の製造工程の省力化、低コスト化が実現されるものでもある。
【０１１４】
しかも、実装基板上にインピーダンス調整を行う導体パターンやインピーダンス整合回路などが不要であることから、高密度実装が促進されて、電子機器自体の小型化、薄型化、低コスト化を実現することが可能となるものである。
【０１１５】
（実施の形態３）
実施の形態３においては、実施の形態１もしくは実施の形態２で説明したチップアンテナ１、２０、２１が実装されたアンテナモジュールを、電子機器に適用した場合について説明する。
【０１１６】
図２０は本発明の実施の形態３における電子機器の構成図である。図２０に示される電子機器は、ノートブックパソコンや、携帯端末、携帯電話などであり、実施の形態１や２において説明されたチップアンテナが実装されたアンテナモジュールが組み込まれたものである。
【０１１７】
３０は電子機器、３１は筐体、３２はアンテナモジュール、３３は実装基板、３４は給電源、３５は変調部、３６は復調部、３７は制御部、３８は電源である。
【０１１８】
筺体３１は例えば携帯電話の筺体であったり、ノートブックパソコンの筺体であったりする。また、図２０に示されていない、表示部や、メモリ部、ハードディスクや外部用記憶媒体などが含まれてもよいものである。
【０１１９】
変調部３５は、送信に用いるアナログデータやデジタルデータを送信可能な状態に変調し、更にアンテナモジュール３２に高周波信号電流を供給する。復調部３６では、アンテナモジュール３２で受信された信号に対して検波や復調が行われ、必要となるアナログデ
ータやデジタルデータが取り出されて、音声、画像、データなどに再生され、図示されていない表示部などに表示される。
【０１２０】
復調データについては、必要に応じて誤り検出がなされる場合もある。例えば、巡回符号検査（以下、「ＣＲＣ」という）やパリティ符号などにより誤り検出がなされる。具体的には、送信側で付されるパリティ符号と、実際に復調されたデータの偶数パリティや奇数パリティなどとの一致を検出する。あるいは、復調されたデータについて生成多項式で除算して、剰余を確認することで検出される。誤りが検出された場合には、データの再送を要求するなどの処理が行われる。
【０１２１】
あるいは、ビタビ復号やリードソロモン復号などの誤り訂正も行われ、データの再送要求などが不要となり、受信性能が高まる結果となる。
【０１２２】
ここで、送信において必要なパワーアンプ、受信で使うローノイズアンプ、送受信の切り替えスイッチ、ノイズ除去のフィルタや、周波数選択のためのフィルタ、検波回路、ミキサーなどもそれぞれ実装され、それぞれディスクリート素子や、その一部、もしくは全部が集積回路で実現されている。
【０１２３】
制御部３７は電子機器全体を制御するためのものであり、例えばＣＰＵなどが含まれており、時間制御、同期制御、回路ごとの処理手順制御などが実行される。例えば、ＣＰＵで実行されるプログラムにより実行される。電源３８はパック電池などが用いられ、内部回路や表示部などに電力が供給される。
【０１２４】
ここで、変調部３５、復調部３６、制御部３７などは、ディスクリート素子で構成されてもよく、その一部、若しくは全部が集積化されたＩＣやＬＳＩなどで実現され、小型化や薄型化、低消費電力化が実現されても良い。あるいは、単一、もしくは複数のＣＰＵを用いて、処理の一部、もしくは全部をソフトウェアで処理してもよいものである。
【０１２５】
このような電子機器の例である、携帯電話やＰＤＡのような携帯端末、あるいはノートブックパソコンなどでは、近年、８００ＭＨｚ、９００ＭＨｚ、１．８ＧＨｚ、１．９ＧＨｚ、２．４ＧＨｚと５ＧＨｚなどの多共振に対応することが求められているため、複数の基体を用いたチップアンテナを使って、多共振に対応しても良く、あるいは、一つの基体の中に複数のヘリカル領域を形成して実現してもよい。
【０１２６】
また、近年求められているアンテナの小型化に対応する必要があるが、本発明のチップアンテナにより、アンテナの小型化が実現されるため、これに対応することが可能である。また、このようなチップアンテナを使用する電子機器メーカーなどのユーザーにとっても、実装基板上にインピーダンス調整をおこなう導体パターンやインピーダンス整合回路などを形成したりする手間が省力化でき、電子機器の製造工程の省力化、低コスト化が実現されるものでもある。
【０１２７】
しかも、実装基板上にインピーダンス調整を行う導体パターンやインピーダンス整合回路などが不要であることから、高密度実装が促進されて、電子機器自体の小型化、薄型化、低コスト化にまでその効果が及ぶものとなる。
【産業上の利用可能性】
【０１２８】
本発明は、基体と、基体に設けられた一対の端子部と、基体の一部に設けられたアンテナ部を有し、一対の端子部は、アンテナ部を介して電気的に接続し、端子部の一方が給電部に接続され、他方が開放部に接続され、基体の一部にインピーダンス整合部を構成することにより、チップアンテナの入力インピーダンスと高周波回路の特性インピーダンスを
調整する導体パターン及び整合回路を必要とせず、実装基板への実装時の調整やアンテナモジュールの大型化の負担を低減することが必要な用途にも適用できる。
【図面の簡単な説明】
【０１２９】
【図１】本発明の実施の形態１におけるチップアンテナの斜視図
【図２】本発明の実施の形態１におけるチップアンテナの上面図
【図３】本発明の実施の形態１におけるチップアンテナの上面図
【図４】本発明の実施の形態１におけるチップアンテナの上面図
【図５】本発明の実施の形態１におけるチップアンテナの上面図
【図６】本発明の実施の形態１におけるチップアンテナの上面図
【図７】本発明の実施の形態１におけるチップアンテナの上面図
【図８】本発明の実施の形態１におけるチップアンテナの上面図
【図９】本発明の実施の形態１におけるチップアンテナの上面図
【図１０】本発明の実施の形態１におけるチップアンテナの上面図
【図１１】本発明の実施の形態１におけるチップアンテナの上面図
【図１２】本発明の実施の形態１におけるチップアンテナの上面図
【図１３】本発明の実施の形態１におけるチップアンテナの上面図
【図１４】本発明の実施の形態１におけるチップアンテナの上面図
【図１５】本発明の実施の形態１におけるチップアンテナの側面図
【図１６】（ａ）本発明の実施の形態１におけるアンテナ部の等価回路図、（ｂ）本発明の実施の形態１におけるアンテナ部の等価回路図
【図１７】本発明の実施の形態１におけるインピーダンス整合部の等価回路図
【図１８】本発明の実施の形態２におけるチップアンテナの構成図
【図１９】本発明の実施の形態２におけるチップアンテナの構成図
【図２０】本発明の実施の形態３における電子機器の構成図
【図２１】従来の技術におけるアンテナの斜視図
【符号の説明】
【０１３０】
１、２０、２１    チップアンテナ
２、２Ａ、２Ｂ、２Ｃ    基体
３、４、３Ａ、３Ｂ、３Ｃ、４Ａ、４Ｂ、４Ｃ    端子部
５    導電膜
６、６Ａ、６Ｂ、６Ｃ、１８    アンテナ部
７、７Ａ、７Ｂ、７Ｃ、１９    インピーダンス整合部
８    巻線
９    メアンダ状
１０    逆Ｆ構造
１１    ループ構造
１２    調整用導体
１３    接続部
１４    切断部
１５    第一導体
１６    第二導体
１７    導体部
２２、２２Ａ、２２Ｂ、２２Ｃ    給電部
２３、２３Ａ、２３Ｂ、２３Ｃ    開放部
２４    給電源
２５    保護膜
２６    スパイラル部
３０    電子機器
３１    筐体
３２    アンテナモジュール
３３    実装基板
３４    給電源
３５    変調部
３６    復調部
３７    制御部
３８    電源
１００    アンテナモジュール
１０１    チップアンテナ
１０２    導体パターン
１０３    開放部
１０４    給電部
１０５    高周波回路部
【図１】
2006050213.tif 000004
【図２】
2006050213.tif 000005
【図３】
2006050213.tif 000006
【図４】
2006050213.tif 000007
【図５】
2006050213.tif 000008
【図６】
2006050213.tif 000009
【図７】
2006050213.tif 000010
【図８】
2006050213.tif 000011
【図９】
2006050213.tif 000012
【図１０】
2006050213.tif 000013
【図１１】
2006050213.tif 000014
【図１２】
2006050213.tif 000015
【図１３】
2006050213.tif 000016
【図１４】
2006050213.tif 000017
【図１５】
2006050213.tif 000018
【図１６】
2006050213.tif 000019
【図１７】
2006050213.tif 000020
【図１８】
2006050213.tif 000021
【図１９】
2006050213.tif 000022
【図２０】
2006050213.tif 000023
【図２１】
2006050213.tif 000024